(57)【要約】【課題】多数の制御チャンネルが設定されていても、簡単かつ確実に所望の制御チャンネルを選択することができる写真プリント装置を提供する。【解決手段】プリント処理を制御するための複数のパラメータをグループ化する制御チャンネルを設定して管理する制御チャンネル管理部と、制御チャンネル夫々にリンクしたボタンを設定して管理するボタン管理部とを備えた写真プリント装置。ボタンにはリンクしている制御チャンネルに含まれるパラメータの少なくとも１つが表示されており、操作入力を通じて選択されたボタンにリンクしている制御チャンネルと類似する制御チャンネルにリンクしているボタンが類似ボタンとして識別可能な特殊表示形態に切り換えられる。【選択図】図８
2007171262.tif 000002
【特許請求の範囲】
【請求項１】
入力されたプリントソースを用いたプリント処理を制御するための複数のパラメータをグループ化する制御チャンネルを設定して管理する制御チャンネル管理部と、これら制御チャンネル夫々にリンクしたボタンを設定して管理するボタン管理部と、前記複数のボタンをモニタに表示させるとともに前記モニタに表示されたボタンに対する操作入力に基づいて各種制御コマンドを生成するＧＵＩ部とを備えた写真プリント装置において、
前記ボタンにはリンクしている制御チャンネルに含まれるパラメータの少なくとも１つが表示されており、操作入力を通じて選択されたボタンにリンクしている制御チャンネルと類似する制御チャンネルにリンクしているボタンが類似ボタンとして識別可能な特殊表示形態に切り換えられることを特徴とする写真プリント装置。
【請求項２】
前記特殊表示形態において、前記類似ボタンにリンクしている制御チャンネルと前記選択されたボタンにリンクしている制御チャンネルとの間で異なっているパラメータの少なくとも１つが強調表示されることを特徴とする請求項１に記載の写真プリント装置。
【請求項３】
前記複数の各ボタンは、リンクしている制御チャンネルに含まれているパラメータの一部のパラメータのパラメータ値だけ異なる他のボタンとの間でグループ化されていることを特徴とする請求項１又は２に記載の写真プリント装置。
【請求項４】
プリントサイズを規定するパラメータのみが異なるボタン同士でグループ化されていることを特徴とする請求項３に記載の写真プリント装置。
【発明の詳細な説明】
【技術分野】
【０００１】
本発明は、入力されたプリントソースを用いたプリント処理を制御するための複数のパラメータをグループ化する制御チャンネルを設定して管理する制御チャンネル管理部と、前記制御チャンネル夫々にリンクしたボタンを設定して管理するボタン管理部と、前記複数のボタンをモニタに表示させるとともに前記モニタに表示されたボタンに対する操作入力に基づいて各種制御コマンドを生成するＧＵＩ部とを備えた写真プリント装置に関する。
【背景技術】
【０００２】
写真プリント装置におけるプリント処理を制御する際に用いられるパラメータを設定するため、特定プリント処理のためのパラメータ集合体であるプリントチャンネル（制御チャンネル）の設定項目（パラメータ）とプリントフォーム（制御チャンネル）の設定項目（パラメータ）とを、モニタの同一画面上に「同時プリントチャンネル／フォーム」の設定モードとして表示するとともに、この画面上でプリントチャンネルとプリントフォームの各項目を設定可能とするプリント設定機能を有する写真処理装置が知られている（例えば、特許文献１参照）。この写真処理装置では、プリント設定機能を通じて予め設定されている複数種類のチャンネルの中から所望のプリントチャンネルを選択するためのチャンネル選択表示部と、予め設定されている複数種類のフォームの中から所望のプリントフォームを選択するためのプリントフォーム選択表示部と、選択されたプリントチャンネルの内容を表示する選択チャンネル内容表示部と、選択されたプリントフォームの内容を表示する選択フォーム内容表示部とが表示される。プリント処理を行うにあたっては、チャンネル選択表示部において、チャンネルの名称、使用するペーパーマガジンおよびネガマスクの種類名や印画紙の送り量などを１３５フィルムと２４０フィルムとに分けてそれぞれ予め設定された複数種類のチャンネルの中から所望のチャンネルナンバーを選択することで、使用すべきプリントチャンネルが選択される。
【０００３】
予め設定されているプリントチャンネル（制御チャンネル）を選択する際、上記特許文献１のようにリスト表示されたプリントチャンネル群から所望のプリントチャンネルを選択するのではなく、複数のパラメータを含むプリントチャンネルにリンクするスタートボタンをモニタに表示し、このスタートボタンの選択操作を通じて所定のプリント処理を開始するようなＧＵＩ（グラフィックユーザインターフェース）を採用した写真プリント装置も提案されている（例えば、特許文献２参照）。
【０００４】
【特許文献１】特開２００１−３０５６７０号公報（段落番号００１５−００１７、図３）
【特許文献２】特開２００４−１７３０４６号公報（段落番号００２７、図９、図１０）
【発明の開示】
【発明が解決しようとする課題】
【０００５】
最近、写真プリントソースの多様化（写真フィルムやデジタルカメラで用いられる各種メモリカードなど）と、デジタルプリント技術の進歩による出力形態の多様化（文字メッセージや他の画像との合成、アルバム風プリントなど）にともない、写真プリント装置で取り扱われるプリント処理も多様化し、取り扱われる制御チャンネルの数も数十から１００を超えるレベルに達している。このような多数の制御チャンネル群から仕様に適合したプリント処理を行うためのプリントチャンネルを選択するために、従来のような、リスト表示された制御チャンネル群やモニタ画面内に多数配置された制御チャンネル用ボタン群から選ぶやり方では、その選択に時間がかかるばかりか、選択間違いが生じやすいといった問題がある。
上記実状に鑑み、本発明の課題は、多数の制御チャンネルが設定されていても、簡単かつ確実に所望の制御チャンネルを選択することができる写真プリント装置を提供することである。
【課題を解決するための手段】
【０００６】
入力されたプリントソースを用いたプリント処理を制御するための複数のパラメータをグループ化する制御チャンネルを設定して管理する制御チャンネル管理部と、前記制御チャンネル夫々にリンクしたボタンを設定して管理するボタン管理部と、前記複数のボタンをモニタに表示させるとともに前記モニタに表示されたボタンに対する操作入力に基づいて各種制御コマンドを生成するＧＵＩ部とを備えた写真プリント装置において、上記課題を解決するため、本発明では、前記ボタンにはリンクしている制御チャンネルに含まれるパラメータの少なくとも１つが表示されており、操作入力を通じて選択されたボタンにリンクしている制御チャンネルと類似する制御チャンネルにリンクしているボタンが類似ボタンとして識別可能な特殊表示形態に切り換えられる。
【０００７】
本発明の上記特徴構成によれば、モニタ画面に表示されているボタン群の１つを選択すると、その選択されたボタンにリンクしている制御チャンネルと類似する制御チャンネルにリンクしているボタンだけが他のボタンと区別できるような表示形態、例えば点滅や強調表示など、に切り換えられる。ここで「類似する」とは制御チャンネルに含まれているている複数のパラメータについてその一部のパラメータのパラメータ値が異なることをいう。これにより、選択した制御チャンネルに対してわずかなパラメータの相違がある制御チャンネルの存在を視覚的に認識することができ、所望の制御チャンネルにリンクするボタンを簡単かつ確実に見つけ出すことができる。特に、制御チャンネルの数が多数存在し、その結果としてボタン数も多数となる場合でも、絞り込み検索のような要領で、迅速かつ確実に所望のボタンにたどり着くことができる。
【０００８】
上述した選択されたボタンと類似するボタンの特殊表示形態の好適な例の１つとして、類似ボタンにリンクしている制御チャンネルを選択されたボタンにリンクしている制御チャンネルに対して相違させているパラメータの少なくとも１つが強調表示される構成が提案される。例えば、選択ボタンにリンクしている制御チャンネルに較べ、写真プリントソースの１つであるカラーネガの種類（例：１３５フィルムの代わりに２４０フィルム（ＡＰＳフィルム））だけが異なる制御チャンネルにリンクしているボタンを類似ボタンとみなし、このボタンにおいては「２４０フィルム」というパラメータを表している文字などを強調表示（点滅、太字、反転など）するのである。これにより、選択したボタンと類似するボタンの存在及びその違いが一目瞭然となり、簡単かつ確実に所望の制御チャンネルにリンクするボタンを見つけ出すことができる。
【０００９】
本発明の好適な実施形態の１つでは、前記複数の各ボタンは、リンクしている制御チャンネルに含まれているパラメータの一部のパラメータのパラメータ値だけ異なる他のボタンとの間でグループ化されている。選択されたボタンと類似するボタンを迅速に探し出すためには、各ボタンにリンクしている制御チャンネルに含まれている多数のパラメータを比較して、所定数（１つ又は２つが好ましい）のパラメータだけが異なるボタンを集めてグループを形成して、リストを作成しておくとよい。つまり、各ボタンは１つ又は２つのパラメータだけが異なるボタン同士で作られるいくつかのグループに属することになるので、もし特定のボタンが選択された場合、その選択されたボタンが属するグループの他のボタンを類似ボタンとして迅速に抽出することができる。特に写真プリントにおいては、プリントサイズを規定するパラメータが最も基本となるので、少なくとも、このプリントサイズを規定するパラメータのみが異なるボタン同士でグループ化しておくことは、好都合である。
本発明によるその他の特徴及び利点は、以下図面を用いた実施形態の説明により明らかになるだろう。
【発明を実施するための最良の形態】
【００１０】
以下、本発明の実施形態を図面に基づいて説明する。
〔写真プリント装置〕
図１及び図２に示すように、デジタルミニラボと称せられる写真プリント装置の本体を形作っている筐体１０の内部に、印画紙Ｐ（シート状の感光材料の一例）に画像データの露光を行う露光処理部Ｅｘと、この露光処理部Ｅｘからの印画紙Ｐを反転することで表裏を入れ換えた状態で上方に搬送する縦搬送部ＣＶと、この縦搬送部ＣＶからの印画紙Ｐの現像処理を行う現像処理部Ｄｅと、この現像処理部Ｄｅからの印画紙Ｐの乾燥を行う乾燥処理部Ｄｒとが形成されている。乾燥処理部Ｄｒで乾燥された印画紙Ｐは筐体１０の端部の排出部１１から排出される。排出された印画紙Ｐ、つまり写真プリントＰは搬送ベルト１２によって水平方向に搬送され、筐体１０の側部に設けられたソータ１３の複数のトレイ１３Ａの何れかにオーダ単位で保管される。尚、前記露光処理部Ｅｘ、縦搬送部ＣＶ、現像処理部Ｄｅ、乾燥処理部Ｄｒからなる構成体はプリント部と呼ばれ、筐体１０の外部に設けられているプリント処理操作用構成は、操作部と呼ばれる。
【００１１】
〔操作部〕
操作部は、オペレータが画像データの取得と、プリント処理に必要な操作とを行う操作端末として機能するものであり、この操作部には、テーブル部２０に設置された汎用コンピュータで成るプリント制御ユニット２１と、このプリント制御ユニット２１の上面に設置されたモニタ２２と、現像処理後の写真フィルムＦのコマ画像から画像データを取得するフィルムスキャナ２３と、２つのキーボード２４とマウス２５とを備えている。操作部の前面には各種の半導体型の記憶媒体と、ＣＤ−ＲＯＭ、ＤＶＤ、ＭＯ等の磁気式や光学式の記録媒体との間で情報のアクセスを行う複数のメディアドライブ２６とを備えている。
【００１２】
前記フィルムスキャナ２３は、下部に配置した光源からの光線をフィルムキャリア２３ａに支持した写真フィルムＦに照射し、この写真フィルムＦからの光線をレンズユニットから上部の光電変換ユニットに導き、この光電変換ユニットにおいて写真フィルムＦのコマ画像の光電変換とＡ／Ｄ変換とを行うことによりＲ（赤）・Ｇ（緑）・Ｂ（青）の３原色に色分解したデジタル型の画像データとして取得する。
【００１３】
〔縦搬送部・現像処理部・乾燥処理部〕
図面には具体的な構造を示していないが、前記縦搬送部ＣＶは、前記露光処理部Ｅｘで露光された印画紙Ｐを圧着型のローラ１５で受け取り、圧着型のローラの姿勢の変換によって表裏を入れ換え、ガイドレール１６に沿って上方に搬送し、前記現像処理部Ｄｅに送り出すように機能する。
【００１４】
前記現像処理部Ｄｅは、発色現像槽と漂白定着槽と安定槽とで成る複数の処理槽を樹脂によって一体形成した現像処理槽３０を備えると共に、前記露光処理部Ｅｘから供給された印画紙Ｐを夫々の現像処理槽に搬送するように複数の圧着型の複数のローラを有した搬送機構３１を備えている。前記乾燥処理部Ｄｒは、現像処理部Ｄｅから送り出された印画紙Ｐを搬送する複数の圧着ローラ３２と、この圧着ローラ３２で搬送される印画紙Ｐに対して乾燥空気を供給するブロワ３３とを備えている。
【００１５】
〔露光処理部〕
前記露光処理部Ｅｘは、２つ印画紙マガジンＭにロール状に収容された長尺の印画紙Ｐ（感光材料の一例）の何れか一方を圧着型の供給搬送ローラ４１で上方に引き上げた後に水平方向に送り出し、カッターユニット４２の排出ローラ４３からチャッカーＣに受け渡す。このチャッカーＣは印画紙Ｐを挟持する挟持状態と、印画紙Ｐを開放する開放状態とに切り換え自在なチャック部材（図示せず）を備えており、このチャック部材で印画紙Ｐを挟持した状態で水平方向へ移動し、印画紙Ｐの先端を露光ユニットＧに受け渡す。
【００１６】
前記露光ユニットＧは、露光搬送機構によって印画紙Ｐを水平方向（副走査方向）に搬送しながら、露光ヘッドＧｈによって主走査方向に沿ったライン露光を行うように露光形態が設定されている。前記露光搬送機構は、圧着状態と開放状態とに切り換え自在な第１ローラ４５と、第２ローラ４６と、第３ローラ４７とを、印画紙Ｐの搬送方向に沿って配置している。
【００１７】
前記露光ヘッドＧｈとして、Ｒ（赤）、Ｇ（緑）、Ｂ（青）の３原色に対応した３種の真空ケースの内部に多数のドット状となる蛍光体をライン状に配置し、これらの蛍光体を独立して発光させるように構成したものを用いているが、これに代えて、光源からの光線の照射を画素単位で制御する液晶型等のシャッターから印画紙Ｐの感光面に導くことでライン露光を行うものや、Ｒ（赤）、Ｇ（緑）、Ｂ（青）の３原色のレーザビームを走査する形態でライン露光を行うものであっても良い。
【００１８】
この露光処理部Ｅｘには、この露光処理部Ｅｘでの印画紙Ｐの切断、搬送を制御し、前記現像処理部Ｄｅでの印画紙Ｐの搬送と現像処理液の管理とを行い、前記乾燥処理部Ｄｒでの印画紙Ｐの搬送と温度管理とを行うためのマイクロプロセッサーを有したプリントコントローラ３６を備え、このプリントコントローラ３６は以下のように印画紙Ｐを搬送して露光を行う。
【００１９】
〔露光処理プロセス〕
印画紙Ｐに対する露光処理を開始する際には、前記チャッカーＣをカッターユニット４２の近傍の待機位置にセットし、この状態において何れか一方の印画紙マガジンＭからの印画紙Ｐを供給搬送ローラ４１で水平方向に送り出し、カッターユニット４２の部位を通過させ、前記待機位置に設定されているチャッカーＣに受け渡す。
【００２０】
印画紙Ｐが受け渡されたチャッカーＣにおいて印画紙Ｐの先端近くを挟持し、水平方向への搬送を開始する。この水平方向への搬送時にはチャッカーＣの移動速度と同期した速度で前記供給搬送ローラ４１と排出ローラ４３とを駆動する。そして、カッターユニット４２の切断位置を基準にして搬送された印画紙Ｐの長さがプリントサイズに達すると、印画紙Ｐの搬送を一時停止しカッターユニット４２によって印画紙Ｐを切断し、この切断の後に、チャッカーＣを水平方向に更に移動させ、印画紙Ｐを露光搬送機構に受け渡す。
【００２１】
この露光搬送機構では、第１ローラ４５を開放状態に設定して前記チャッカーＣからの印画紙Ｐを受け入れ、この受け入れの直後に圧着状態に切り換えることで印画紙Ｐの搬送を開始する。この搬送を開始した後には、第２ローラ４６を開放状態に設定して印画紙Ｐを受け入れ、この受け入れの直後に圧着状態に切り換えて印画紙Ｐの露光搬送を開始し、これと連係して前記第１ローラ４５を開放状態に設定する。次に、第３ローラ４７を開放状態に設定して印画紙Ｐを受け入れ、この受け入れの直後に第３ローラ４７を圧着状態に切り換え、これと連係して第２ローラ４６を開放状態に切り換えることで印画紙Ｐの露光搬送を継続する。
【００２２】
〔制御チャンネルの選択〕
この写真プリント装置では、通常の同時プリント以外に、特殊なプリントサイズでの同時プリント、文字メッセージや他の画像との画像合成プリント、複数のコマ画像をレイアウトしたアルバム風プリントなど種々のプリント処理が可能であることから、各プリント処理を実行制御するために要求される複数のパラメータ（制御パラメータ）がグループ化された制御チャンネルが予め設定されている。また、この制御チャンネルは随時に作成して登録することができる。従って、この写真プリント装置でプリント処理を実行するにあたっては、予め用意されている制御チャンネルを選択するか、あるいは新しい制御チャンネルを作成登録して、それを選択する必要がある。
【００２３】
本発明による写真プリントは、図３に示すように、そのような制御チャンネルの選択をグラフィックインターフェースを用いて簡単化するため、プリント処理初期画面として各制御チャンネルにリンクしているボタン群を配置させたプリント処理選択画面５０をモニタ２２に表示させている。
【００２４】
制御チャンネルを規定するパラメータとしては、「プリントサイズ（Ｌ版サイズ、２Ｌサイズ、キャビネサイズ、ポストカード、Ａ４サイズなど）」、「写真プリント形態（白縁なし、白縁ありなど）」、「出力形態（写真プリントのみ、インデックスプリント付き、ＣＤ−Ｒ記録媒体付きなど」、「入力ソース（１３５ネガフィルム、２４０ネガフィルム、メモリカードタイプなど）」、「プリント方式（自動プリント、プレジャッジプリントなど）」、が例として挙げられる。
【００２５】
例えば、選択決定されたボタンにリンクする制御チャンネルに、入力ソースとして１３５フィルムを規定しているパラメータとプリント方式としてプレジャッジプリントを規定しているパラメータが含まれている場合、この制御チャンネルが決定されると、フィルムスキャナ２３においてフィルムのスキャニングが開始され、プリントサイズに適した画素数の画像データが取得され、次いでモニタ２２に複数のコマ画像を一覧化したプレジャッジ画面が表示され、このプレジャッジ画面にてコマ画像毎にマニュアルでの補正が可能となる。さらに、最終的なコマ画像のためのプリントデータがプリントコントローラ３６に伝送され、このプリントコントローラ３６が、露光処理部Ｅｘと、縦搬送部ＣＶと、現像処理部Ｄｅとを制御してプリント処理が続行していく。また、ＣＤ−Ｒに保存することを規定するパラメータが含まれている場合には、メディアドライブ２６に対して設定された画素数の画像データが伝送され、ＣＤ−Ｒに画像データが記録される。
【００２６】
このように、各制御チャンネルにリンクしているボタンの正確な選択は、この写真処理の実行において重要である。この重要なボタンの選択が簡単かつ確実に行われるように、プリント処理選択画面５０を通じて選択されたボタンにリンクしている制御チャンネルと類似する制御チャンネルにリンクしているボタンは類似ボタンとして他のボタンと識別できるように、異なっているパラメータを示す文字や図形が強調表示される。もちろん、類似ボタン自身も識別可能に強調表示してもよい。
【００２７】
プリント処理選択画面５０で選択されたボタンと類似するボタンにおいて選択ボタンと異なっているパラメータを示す文字や図形を強調表示するための仕組みを図４〜図８を用いて以下に説明する。
図４には、プリント制御ユニット２１に構築されるマイクロプロセッサシステムのうち、特に上述した類似ボタンの識別可能表示に関する機能ブロックが示されている。ここでは、入力されたプリントソースを用いたプリント処理を制御するための複数のパラメータをグループ化する制御チャンネルを設定して管理する制御チャンネル管理部６１と、制御チャンネル夫々にリンクしたボタンを設定して管理するボタン管理部６２と、これらの複数のボタンをモニタ２２に表示させるとともにモニタに表示されたボタンに対する操作入力に基づいて各種制御コマンドを生成するＧＵＩ部６３と、制御チャンネル管理部６１やＧＵＩ部６３から与えられる制御コマンドに基づいて各構成要素を制御するプリント管理部６４が主要な構成要素となっている。
【００２８】
ＧＵＩ部６３は、キーボード２４やマウス２５を通じてのオペレータによる操作入力を適切に受け付けるために操作入力処理部６５ａに接続されており、さらには操作に関する各種グラフィックイメージをモニタ２２に表示させるためにビデオ制御部６５ｂに接続されている。
【００２９】
プリント管理部６４は、プリント処理選択画面５０を通じて確定された制御チャンネルに基づいたプリント処理を実行するために、フィルムスキャナ２３やメディアドライブ２６によって読み取られた画像データに次の処理のために必要な前処理を施してメモリやその他の機能要素に転送する画像データ入力部６６と、メモリに展開されている画像データに基づく撮影コマ画像の縮小画像を用いた撮影コマ画像の多数コマ表示画面を用いたプレジャッジ作業を制御するプレジャッジ処理機能やメモリに展開されている撮影コマ画像に対してプレジャッジ作業で設定された指令又は自動的に決定された指令に基づいて画像処理を施す機能を有する画像処理部６７と、処理が完了した処理済み画像データに基づいて露光ヘッドＧｈに適したプリントデータを生成してプリントコントローラ３６に転送する生成部６８と、顧客の要望に応じて生の撮影画像や編集済みの撮影画像などをＣＤやＤＶＤに書き込むための形式にフォーマットしてメディアドライブ２６に転送する画像データ出力部６９とに接続している。
【００３０】
プリントコントローラ３６は、確定された制御チャンネルによって規定されたプリント処理によって得られたプリントデータに基づいて写真プリントＰを出力するために、印画紙Ｐの露光処理部Ｅｘの供給搬送ローラ４１から乾燥処理部Ｄｒの圧着ローラ３２に亘って搬送全般を管理する搬送制御部と、露光ヘッドＧｈを制御して画像データを印画紙Ｐに露光する露光制御部と、前記現像処理槽３０の現像処理液の温度管理や液面管理を行い、乾燥処理部Ｄｒの温度管理を行う現像・乾燥制御部とを制御する。
【００３１】
制御チャンネル管理部６１において、図５に示すように、各制御チャンネルにはその制御チャンネルに含まれる各パラメータのパラメータ値を属性値として設定されている。パラメータとしては、入力メディア、プリントサイズ、面質、プリント枚数、インデックスプリント、メディア出力、プリント方式、などが挙げられる。例えば、制御チャンネル「００１」においては、その名称が「サービスプリント」、入力メディアが「カラーネガ１３５」、プリントサイズが「89×127」、面質（印画紙特性）が「１」といったように規定されている。さらに、各制御チャンネルの属性値の１つとしてボタンＩＤが含まれている。このボタンＩＤはプリント処理選択画面５０で表示される各ボタンを規定するものであり、このボタンＩＤによって規定されるボタンの属性値はボタン管理部６２で設定管理されている。例えば、ボタンＩＤ「１０１１」は、図６で示すようなボタン設定画面７０を通じて、設定される。このボタン設定画面の例では、ボタン全体の画像を設定するボタンイメージ設定領域７１と、そのボタンに表示すべき項目を設定する表示項目設定領域７２がレイアウトされている。表示項目設定領域７２にはこのボタンがリンクされている制御チャンネルで規定されたパラメータの値が列挙されており、それらのうち左のチェック欄でチェックされたパラメータはプリント処理選択画面５０で表示されるボタンに対応させて表示される。スペースの関係上ボタン表示エリア内に表示できないパラメータに関しては、ボタン上にマウスを移動させることにより別ウインドウで表示させる。表示項目設定領域７２に配置されている強調設定ボタン７３は、選択されたボタンと類似するボタンと見なされた場合に他のボタンと識別するための強調表示の仕方を設定するために、ここでは図示されていない強調設定画面を呼び出すものであり、この強調設定画を通じて、ボタンの色合いを変更したり、パラメータを示す表示文字を太字にしたり、又は点滅させるといった強調表示が設定される。
【００３２】
さらにボタン管理部６２では、設定された制御チャンネルにリンクされているボタン群を、リンクしている制御チャンネルに含まれているパラメータの内１つのパラメータだけ異なるボタン同士でグループ化して管理している。図７で模式的に示されているように、例えばグループＡは、制御チャンネルに含まれているパラメータの内プリントサイズだけが異なっている制御チャンネルにリンクしているボタン群から構成されている。その他、いずれかのパラメータだけが異なっている制御チャンネルにリンクしているボタン群からグループＢ、Ｃ・・・が構成されている。従って、かなり特殊な制御チャンネルにリンクしているボタン以外の各ボタン（ボタンＩＤ）は複数のグループに属することになる。このようなグループ所属リストを参照することでボタン管理部６２は、プリント処理選択画面５０において選択されたボタンにリンクしている制御チャンネルと類似する制御チャンネル（この実施形態では１つだけパラメータの値が異なっているもの）にリンクしているボタンを簡単に類似ボタンとして抽出することができる。そして、図８に示されているように、ＧＵＩ部６３は、抽出された類似ボタンのボタンＩＤからプリント処理選択画面５０における類似ボタンを特定し、その類似ボタンの表示形態を他のボタンと識別可能な特殊表示形態に、例えば色変更や点滅など強調設定画面で設定された通りに、表示切換を行う。これにより、オペレータは、プリント処理選択画面５０において、所望の制御チャンネルの選択のために仮に選択クリックしたボタンに類似する全てのボタンの存在をその違いの表示とともに認識することができるので、真のボタンを確実にかつ容易に見つけ出すことができる。
【図面の簡単な説明】
【００３３】
【図１】本発明による写真プリント装置の一例を示す外観図
【図２】図１による写真プリント装置の概略説明図
【図３】プリント処理選択画面の一例を示すモニタ画面図
【図４】プリント制御ユニットにおけるプリント処理機能を説明する機能ブロック図
【図５】プリントチャンネルのデータ構造を説明するデータ構造図
【図６】ボタン設定画面の一例を示すモニタ画面図
【図７】ボタンのグループ化を説明する説明図
【図８】選択ボタンと類似ボタンの表示形態の一例を示すプリント処理選択画面図
【符号の説明】
【００３４】
２２：モニタ
５０：プリント処理選択画面
６１：制御チャンネル管理部
６２：ボタン管理部
６３：ＧＵＩ部
６４：プリント管理部
７０：プリント処理選択画面
Ｐ：印画紙（写真プリント）
【図１】
2007171262.tif 000003
【図２】
2007171262.tif 000004
【図３】
2007171262.tif 000005
【図４】
2007171262.tif 000006
【図５】
2007171262.tif 000007
【図６】
2007171262.tif 000008
【図７】
2007171262.tif 000009
【図８】
2007171262.tif 000010